(57)【特許請求の範囲】
【請求項１】
表面に防食被覆層を施したコンクリート構造部材を複数連設一体化する際に、これの目地部に設けられる目地部構造であって、隣接するコンクリート構造部材の各端面に形成された切欠き溝を対向配置することにより前記目地部に沿って形成される、首部から肩部を介して拡幅する断面形状を有する挿入溝と、該挿入溝に挿入配置される、首部と、該首部の一方に連接する拡幅部と、前記首部の他方に連接する、前記首部から前記拡幅部側に折曲げ傾斜する一対の翼部とからなる断面形状を有する帯状弾性防食挿入部材とからなり、該帯状弾性防食挿入部材の拡幅部を前記挿入溝に挿入することにより、前記拡幅部を前記挿入溝の肩部に係止するとともに、前記一対の翼部を首部を介して拡幅部側に引張ることにより、前記一対の翼部の内側面を、前記目地部を挟んだ両側の防食被覆層の表面に密着させることを特徴とする防食被覆コンクリート構造部材の目地部構造。
【請求項２】
前記帯状弾性防食挿入部材の拡幅部を前記挿入溝に挿入する際に、前記挿入溝の中にシリコーン等のシーリング材やエポキシ樹脂等の接着剤が入れられていることを特徴とする請求項１に記載の防食被覆コンクリート構造部材の目地部構造。
【発明の詳細な説明】
【０００１】
【発明の属する技術分野】
本発明は、防食被覆コンクリート構造部材の目地部構造に関し、特に、表面に防食被覆層を施したコンクリート構造部材を複数連設一体化する際に採用される目地部構造に関する。
【０００２】
【従来の技術】
例えば下水道などの腐食性の水に接するコンクリート構造物の防食方法としては、コンクリート表面に例えばエポキシ樹脂等の樹脂材料を塗布したり、コンクリート構造物を構成するセグメント等のプレキャスト構造部材の製造時に、コンクリートの表面部分の型枠に防食性の樹脂パネルや樹脂シートを取付けてコンクリートを打設し、あるいは打設したコンクリートの硬化後に樹脂材料を塗布したりすることによってコンクリート表面を防食被覆する方法が採用されている。
【０００３】
また、現場打コンクリートによりコンクリート構造物を形成する場合においても、その表面に樹脂材料などにより防食被覆層を形成して防食する方法が採用されている。
【０００４】
そして、シールドトンネルの覆工体などのコンクリート構造物は、コンクリートセグメント等のプレキャスト構造部材を複数連設一体化したり、現場打ちコンクリートを打ち継いで形成してゆくものであるため、隣接するこれらのコンクリート構造部材の接合部にもまた現場において防食被覆を施す必要が生じることになる。
【０００５】
そしてかかる接合部の防食方法としては、従来より、セグメント等のコンクリート構造部材を形成した後、目地部に樹脂材料を充填する方法や、合成樹脂製の防食被覆材同士を溶接により一体化する方法などが採用されていた。
【０００６】
【発明が解決しようとする課題】
しかしながら、かかる従来の防食被覆コンクリート構造部材の接合部の防食方法によれば、樹脂材料を目地部に充填すなわちコーキングする方法では、コンクリート構造部材の接合部分の清掃や乾燥に相当の時間を必要とし、また、樹脂材料が硬化するまでに長期の養生期間を必要とするとともに、コーキング作業に多くの手間を必要とするという課題があった。
【０００７】
また、防食被覆材同士を溶接する方法によれば、施工現場に地下水などの水分が存在すると溶接能率が低下するとともに、必要な電源の確保などその準備や施工に多くの手間を必要とすることになるという課題があった。
【０００８】
そこで、この発明は、このような従来の課題に鑑みてなされたもので、多くの時間や手間を必要とすることなく、防食被覆を施したコンクリート構造部材の接合部を容易に防食被覆することのできる、防食被覆コンクリート構造部材の目地部構造を提供することを目的とするものである。
【０００９】
【課題を解決するための手段】
この発明は、かかる目的を達成するためになされたもので、その要旨は、表面に防食被覆層を施したコンクリート構造部材を複数連設一体化する際に、これの目地部に設けられる目地部構造であって、隣接するコンクリート構造部材の各端面に形成された切欠き溝を対向配置することにより前記目地部に沿って形成される、首部から肩部を介して拡幅する断面形状を有する挿入溝と、該挿入溝に挿入配置される、首部と、該首部の一方に連接する拡幅部と、前記首部の他方に連接する、前記首部から前記拡幅部側に折曲げ傾斜する一対の翼部とからなる断面形状を有する帯状弾性防食挿入部材とからなり、該帯状弾性防食挿入部材の拡幅部を前記挿入溝に挿入することにより、該拡幅部を前記挿入溝の肩部に係止するとともに、前記一対の翼部を首部を介して拡幅部側に引張ることにより、前記一対の翼部の内側面を、前記目地部を挟んだ両側の防食被覆層の表面に密着させることを特徴とする防食被覆コンクリート構造部材の目地部構造にある。
【００１０】
また、この発明の目地部構造は、前記帯状弾性防食挿入部材の拡幅部を前記挿入溝に挿入する際に、前記挿入溝の中にシリコーン等のシーリング材やエポキシ樹脂等の接着剤を入れておくことが好ましい。
【００１１】
ここで、上記複数連設一体化されるコンクリート構造部材としては、例えばコンクリートセグメント等のプレキャスト製のコンクリートの他、現場打ちコンクリートにおいて区画分けされて打ち継がれる、各区画毎に硬化するコンクリートをも含むものである。
【００１２】
そして、この発明の目地部構造によれば、隣接するコンクリート構造部材を、その端面同士を当接させて例えばボルト接合などにより接続固定すれば、予め各コンクリート構造部材の端面縁部に形成された切欠き溝が対向配置されて、首部から肩部を介して拡幅する断面形状を有する挿入溝が、コンクリート構造部材の接合部の表面にその首部を開口させた状態で形成されることになる。
【００１３】
そして、このように形成された挿入溝に対して、帯状弾性防食挿入部材を、その拡幅部を挿入溝の首部の開口に向けて配置するとともに、例えばこれをたたき込むようにして挿入溝の内部に押し込めば、帯状弾性防食挿入部材の拡幅部は、その弾性により収縮変形して挿入溝の首部を通過し、肩部より深い位置において復元して挿入溝の肩部に係止固定されるとともに、一対の翼部を首部を介して拡幅部側に引張ることにより、各翼部の内側面を、目地部を挟んだ両側の防食被覆層の表面に強固に密着させることになる。
【００１４】
すなわち、この発明の防食被覆コンクリート構造部材の目地部構造によれば、隣接するコンクリート構造部材の接合部に形成された目地部としての挿入溝に、帯状弾性防食挿入部材を押し込むだけの作業により、帯状弾性防食挿入部材の翼部が防食被覆層の表面に強固に密着して、止水性及び防食性に富んだ目地部構造が当該接合部に容易に形成されることになる。
【００１５】
また、帯状弾性防食挿入部材を挿入溝に挿入する際に、挿入溝にシーリング材や接着剤を入れておけば、当該目地部構造に、より確実な防食性や止水性を確保することができる。
【００１６】
【発明の実施の形態】
以下、この発明の好ましい実施形態を添付図面を参照して詳細に説明する。この実施形態の防食被覆コンクリート構造部材の目地部構造は、図１（ａ）及び（ｂ）に示すようなシールドトンネル５０の覆工体５１を構成するコンクリート構造部材としてのコンクリートセグメント１０の接合部１２における目地部１３に設けられるものである。
【００１７】
また、この実施形態によれば、シールドトンネル５０は下水道用のトンネルであって腐食性の水に接するものであるため、各セグメント１０の内周面を、これの製造時に予め防食性の防食被覆層２３によって覆うとともに（図２参照）、複数のセグメント１０を連接一体化して覆工体５１を形成する際に、隣接するセグメント１０間の接合部１２にも高い防食性、及び止水性を付与するために、この発明の防食被覆コンクリート構造部材の目地部構造を採用したものである。
【００１８】
すなわち、この実施形態の目地部構造１１は、図２及び図３に示すように、隣接するセグメント１０間の接合部１２の目地部１３に設けられるものであって、隣接するセグメント１０の各端面に形成された切欠き溝１４を対向配置することにより目地部１３に沿って形成される、首部１５から肩部１６を介して拡幅する断面形状を有する挿入溝１７と、この挿入溝１７に挿入配置される、首部１８と、この首部１８の一方に連接する円形断面の拡幅部１９と、首部１８の他方に連接する、この首部１８から拡幅部１９側に折曲げ傾斜する一対の翼部２０とからなる断面形状を有する帯状弾性防食挿入部材２２とからなり、この帯状弾性防食挿入部材２２の拡幅部１９を挿入溝１７に挿入することにより、この拡幅部１９を挿入溝１７の肩部１６に係止するとともに、一対の翼部２０を首部１８を介して拡幅部１９側に引張ることにより、各翼部２０の内側面を、目地部１３を挟んだ両側の防食被覆層２３の表面に密着させることによって構成されている。
【００１９】
ここで、コンクリートセグメント１０は、予め工場等において製作型枠内にコンクリートを打設硬化させて製作される矩形円弧状のプレキャストコンクリート製のもので、セグメント１０の内周面側に配置される製作型枠の表面に例えば樹脂材料からなるシート部材２１を敷設配置した後にコンクリートを打設することにより、各セグメント１０の内周面に容易に防食被覆層２３を貼着形成することが可能である。
【００２０】
また、かかる防食被覆層２３を構成するシート部材２１は、防食性に富んだ、ポリエチレン、ポリプロピレン等の樹脂材料からなるもので、例えばこれの裏面に多数の突起を有し、これをアンカーとしてセグメント１０の内周面のコンクリート中に埋設することにより、当該内周面に防食被覆層２３が強固に密着固定されることになる。
【００２１】
一方、セグメント１０の各端面には、各セグメント１０の周方向に沿って延長する切欠き溝１４がその内面側縁部に設けられているとともに、各セグメント１０の端部内側の適宜箇所には、隣接するセグメント１０を締結固定する際に使用するボルトボックスなどが、一般のセグメントと同様に設けられている。
【００２２】
ここで、切欠き溝１４は、セグメント１０の製作時に箱抜き等を施して形成されるもので、セグメント１０の端面と平行に切欠かれた切欠き深さの浅い平坦部２５と、この平坦部２５より切欠き深さが深くなった円弧部２６とからなり、隣接するセグメント１０の端面同士を当接させてボルト接合などにより接続固定することにより、各セグメント１０の切欠き溝１４が対向配置されて、首部１５から肩部１６を介して円形に拡幅する拡幅部２７を有する断面形状の挿入溝１７が、セグメント１０の接合部の表面にその首部１５を開口させた状態で形成されることになる。
【００２３】
なお、かかる切欠き溝１４の表面すなわち挿入溝１７の内面には、例えばエポキシ樹脂等の防食性の高い接着剤によって予め防食被覆２４を施しておく。
【００２４】
一方、この実施形態の目地部構造１１を構成する防食挿入部材２２は、例えば高密度ポリエチレン、ポリプロピレン等の樹脂材料からなる、防食性に富むとともに弾性を有する帯状の部材であって、平板ないしはパネル状の樹脂材料を加熱加工したり溶着加工することにより、図３に示すような断面形状となるように製作されたものである。
【００２５】
すなわち、この防食挿入部材２２は、首部１８と、この首部１８の一方に連接する円形断面の拡幅部１９と、首部１８の他方に連接する一対の翼部２０とからなる断面形状を有しており、拡幅部１９は内部が空洞になっているとともに首部１８の中央には隙間が形成されていて、弾性変形しやすく構成されている。また、一対の翼部２０は、この首部１８から各々拡幅部１９側に折曲げられて傾斜した状態で首部１８に連接している。
【００２６】
なお、翼部２０の内面側すなわち防食被覆層２３と接する部分には、適宜粘着性のあるシーリング材や水膨張性のゴムが取り付けられ、防食挿入部材２２を挿入溝１７に挿入した際の翼部２０と防食被覆層２３との強固な密着性を確保して、水や腐食物質が目地部１３へ侵入しようとするのを阻止するようになっている。
【００２７】
また、防食挿入部材２２の首部１８は、挿入溝１７の首部１５の長さと略同一かそれよりやや長く形成されており、したがって防食挿入部材２２の拡幅部１９を挿入溝１７の拡幅部２７に押し込んだ際に、拡幅部１９側に折曲げられた翼部２０の内側面が、拡幅部１９側に引張られて相当の押圧力でセグメント１０の内周面の防食被覆層２３に当接するようになっている。
【００２８】
そして、この実施形態の目地部構造によれば、帯状弾性防食挿入部材２２の拡幅部１９を挿入溝１７に挿入することによって構成される。
【００２９】
すなわち、隣接するセグメント１０を接続固定して形成された上述の挿入溝１７に対し、防食挿入部材２２を、その拡幅部１９を挿入溝１７の首部１５の開口に沿わせるようにして配置するとともに、挿入溝１７の内部に向けてたたき込めば、この防食挿入部材２２は、その弾性により拡幅部１９が挿入溝１７の内部に容易に押し込まれた後、復元して挿入溝１７の拡幅部２７に嵌合するとともに、この拡幅部１９は、挿入溝１７の肩部１６に係止固定されることになる。
【００３０】
一方、防食挿入部材２２の一対の翼部２０は、拡幅部１９側に折曲げ傾斜していることから、かかる拡幅部１９の挿入溝１７への係止固定により首部１８を介して拡幅部１９側に引張られ、これによって各翼部２０の内側面が、その弾性によって目地部１３を挟んだ両側の防食被覆層２３の表面に強固に密着し、これにより目地部１３を覆って防食被覆することになる。
【００３１】
したがって、この実施形態によれば、隣接するコンクリートセグメント１０の接合部１２に形成された目地部１３としての挿入溝１７に、防食挿入部材２２をたたき込んで押し込むだけの作業により、止水性、及び防食性に富んだ目地部構造１１を容易に得ることができる。
【００３２】
また、防食挿入部材２２を挿入溝１７に挿入する際に、予めこの挿入溝１７にシリコーン等のシーリング材やエポキシ樹脂等の接着剤を、例えば充填するようにして入れておけば、これらによって防食挿入部材２２を固めるとともに、これの拡幅部１９を拘束することにより、防食挿入部材２２が抜け出すのを強固に防止しつつ、より確実な防食性や止水性を確保することが可能になる。
【００３３】
なお、この発明は、上記実施形態の実施の態様のものに限定されるものではなく、各請求項に記載された構成の範囲内において種々に変更して採用することができる。例えば、この発明の目地部構造は、セグメントの接合部に限定されることなく、その他のプレキァストコンクリート部材の接合部に採用することができる他、コンクリート壁やコンクリートスラブなどの現場打ちコンクリートの打継目に対しても採用することができる。
【００３４】
【発明の効果】
以上詳細に説明したように、この発明の防食被覆コンクリート構造部材の目地部構造によれば、隣接するコンクリート構造部材の各端面に形成された切欠き溝を対向配置することにより前記目地部に沿って形成される、首部から肩部を介して拡幅する断面形状を有する挿入溝と、該挿入溝に挿入配置される、首部と、該首部の一方に連接する拡幅部と、前記首部の他方に連接する、前記首部から前記拡幅部側に折曲げ傾斜する一対の翼部とからなる断面形状を有する帯状弾性防食挿入部材とからなるので、この帯状弾性防食挿入部材を挿入溝に押し込むだけの作業によって、多くの時間や手間を必要とすることなく、防食被覆を施したコンクリート構造部材の接合部を容易に防食被覆することができる。
【図面の簡単な説明】
【図１】（ａ）及び（ｂ）は、この発明の一実施形態に係る目地部構造を採用したシールドトンネルのセグメント覆工体を説明する、（ａ）は正面図、（ｂ）は（ａ）をＡ−Ａから見た内面図である。
【図２】この発明の一実施形態に係る目地部構造を示す断面図である。
【図３】この発明の一実施形態に係る目地部構造を説明する拡大断面図である。
【符号の説明】
１０  セグメント（コンクリート構造部材）
１１  目地部構造
１２  接合部
１３  目地部
１４  切欠き溝
１５  挿入溝の首部
１６  挿入溝の肩部
１７  挿入溝
１８  防食挿入部材の首部
１９  防食挿入部材の拡幅部
２０  防食挿入部材の翼部
２２  帯状弾性防食挿入部材
２３  防食被覆層
２５  切欠き溝の平坦部
２６  切欠き溝の円弧部
２７  挿入溝の拡幅部
５０  シールドトンネル
【図１】
0003852181.tif 000002
【図２】
0003852181.tif 000003
【図３】
0003852181.tif 000004